(57)【要約】【課題】  重機の操作者および重機の外にいる外部者が、重機の作業回数を確実に把握することにより、作業回数を管理し、土木工事の品質を安定させることができる重機用作業回数管理装置およびこれを備えた重機を提供することを目的としている。【解決手段】  本考案にかかる重機用作業回数管理装置１は、土木工事に用いられる重機６に搭載され、前記重機６による所定の作業回数を管理する重機用作業回数管理装置であって、前記重機６による所定の作業の度に入力操作される入力手段２と、この入力手段からの信号を受信した場合に作業回数として加算し記憶するとともに出力信号を出力する作業回数演算手段３と、前記出力信号を受信した場合、加算した作業回数を報知する作業回数報知手段４，５とを有する。【選択図】  図１
0003175530.tif 000002
【実用新案登録請求の範囲】
【請求項１】
土木工事に用いられる重機に搭載され、前記重機による所定の作業回数を管理する重機用作業回数管理装置であって、前記重機による所定の作業の度に入力操作される入力手段と、この入力手段からの信号を受信した場合に作業回数として加算し記憶するとともに出力信号を出力する作業回数演算手段と、前記出力信号を受信した場合、加算した作業回数を報知する作業回数報知手段とを有する重機用作業回数管理装置。
【請求項２】
前記作業回数報知手段として、操作者に対し前記作業回数を報知する操作者用作業回数報知手段と、前記重機の外にいる外部者に対し前記作業回数を報知する外部者用作業回数報知手段とを設ける、請求項１に記載の重機用作業回数管理装置。
【請求項３】
前記作業回数報知手段が２以上のランプで構成されており、点灯するランプを変更するか、または、ランプの点滅パターンを変更することにより前記作業回数を報知する請求項１または請求項２に記載の重機用作業回数管理装置。
【請求項４】
前記作業回数報知手段が電光掲示板である請求項１または請求項２に記載の重機用作業回数管理装置。
【請求項５】
請求項１ないし請求項４のいずれかに記載の重機用作業回数管理装置を備える重機。
【考案の詳細な説明】
【技術分野】
【０００１】
本考案は、土木工事において重機の作業回数を管理するための重機用作業回数管理装置およびこれを備えた重機に関するものである。
【背景技術】
【０００２】
土木工事においては、工事現場ごとに土砂の攪拌や道路の転圧等の重機の作業回数が指定された施工工程がある。従来、重機の作業回数の管理は操作者に委ねられているところ、土木工事が広域に渡る場合は、その膨大な数の工程を繰り返すことになるため、それぞれの場所における作業回数を正確に把握し、管理するには限界がある。また、現場監督等の重機の外にいる外部者が作業回数を管理するにしても、重機の作業の観察のみからその作業回数を把握するのは容易ではなく、施工する場所によっては、外部者が重機の作業を観察できないこともあり、外部者による管理にも限界がある。そのため、重機の作業回数を管理することができず、工事の施工の品質にばらつきが発生するという問題があった。
【０００３】
従来、重機の作業を管理するものとして、たとえば、特開２００１−２９１１３５号公報には、重機等を起動操作した時に作業対象の起動が制限され、作業者の指紋の照合により作業者が特定されると起動制限が解除され、起動制限が解除されたことに基づき重機等の作業対象を終了操作するまでの作業時間をカウントして記録する作業時間管理方法が開示されている（特許文献１）。
【先行技術文献】
【特許文献】
【０００４】
【特許文献１】特開２００１−２９１１３５号公報
【考案の概要】
【考案が解決しようとする課題】
【０００５】
しかしながら、特許文献１に記載された発明において、作業時間をカウントすることはできるが、重機の作業回数を管理することはできない。
【０００６】
そこで、本考案は、このような問題点を解決するためになされたものであって、重機の操作者および重機の外にいる外部者が、重機の作業回数を確実に把握することにより、作業回数を管理し、土木工事の品質を安定させることができる重機用作業回数管理装置およびこれを備えた重機を提供することを目的としている。
【課題を解決するための手段】
【０００７】
本考案にかかる重機用作業回数管理装置は、土木工事に用いられる重機に搭載され、前記重機による所定の作業回数を管理する重機用作業回数管理装置であって、前記重機による所定の作業の度に入力操作される入力手段と、この入力手段からの信号を受信した場合に作業回数として加算し記憶するとともに出力信号を出力する作業回数演算手段と、前記出力信号を受信した場合、加算した作業回数を報知する作業回数報知手段とを有する。
【０００８】
そして、本考案の一態様として、前記作業回数報知手段として、操作者に対し前記作業回数を報知する操作者用作業回数報知手段と、前記重機の外にいる外部者に対し前記作業回数を報知する外部者用作業回数報知手段とを設けてもよい。
【０００９】
さらに、本考案の一態様として、前記作業回数報知手段が２以上のランプで構成されており、点灯するランプを変更するか、または、ランプの点滅パターンを変更することにより前記作業回数を報知してもよい。
【００１０】
また、本考案の一態様として、前記作業回数報知手段が電光掲示板であってもよい。
【００１１】
さらに、本考案にかかる重機は、重機用作業回数管理装置を備えている。
【考案の効果】
【００１２】
本考案の重機用作業回数管理装置およびこれを備えた重機によれば、重機の操作者および重機の外にいる外部者が、重機の作業回数を確実に把握・管理することにより、土木工事の品質を安定させつつ効率的に工事を進めることができる。
【図面の簡単な説明】
【００１３】
【図１】本考案に係る重機用作業回数管理装置の一実施形態を示すブロック図である。
【図２】本実施形態の外部者用作業回数報知手段がランプで構成された重機用作業回数管理装置を備えた重機の（ａ）側面図、（ｂ）背面図および（ｃ）平面図である。
【図３】本実施形態の外部者用作業回数報知手段がランプで構成された重機用作業回数管理装置において点灯するランプの変更によって作業の回数を報知させる具体例を示す図である。
【図４】本実施形態の外部者用作業回数報知手段が電光掲示板である重機用作業回数管理装置を備えた重機の（ａ）側面図、（ｂ）背面図および（ｃ）平面図である。
【考案を実施するための形態】
【００１４】
以下、本考案に係る重機用作業回数管理装置およびこれを備えた重機の一実施形態について図面を用いて説明する。図１は本実施形態における重機用作業回数管理装置１を示すブロック図である。
【００１５】
なお、本発明において、作業とは、土砂等の攪拌作業や道路等の転圧作業のように、重機によって行われうる全ての作業を含む概念である。また、本発明において、重機とは、バックホーやロードローラー等のように、土木工事や建築工事に用いられる全ての建設機械を含む概念である。
【００１６】
本実施形態に係る重機用作業回数管理装置１は、図１に示すように、主として、入力手段２と、作業回数演算手段３と、操作者用作業回数報知手段４と、外部者用作業回数報知手段５とから構成される。以下、各構成について説明する。
【００１７】
入力手段２は、重機の作業回数を入力するためのものである。入力手段２は、重機が所定の作業を行う度に操作者によって操作され、当該操作が行われる度に所定の入力信号を作業回数演算手段３へ出力するようになっている。本実施形態において、入力手段２は、作業回数を入力するスイッチ、または、操作キー等から構成され、例えば操作レバー等の操作者が入力しやすい場所に配置される。なお、入力手段２と作業回数演算手段３とは、有線接続でも無線接続でもよい。
【００１８】
作業回数演算手段３は、入力手段２からの入力信号を受信した場合、これに基づいて重機の作業回数を加算し記憶するとともに、操作者用作業回数報知手段４および外部者用作業回数報知手段５に出力信号を出力して操作者および外部者に作業回数を報知させるためのものである。本実施形態において、作業回数演算手段３は、ＣＰＵ（Central Processing Unit）等からなる制御部３１と、ＲＯＭ（Read Only Memory）、ＲＡＭ（Random Access Memory）、ハードディスク、フラッシュメモリ等からなる記憶部３２とを有している。また、作業回数演算手段３は、重機６内に配置され、重機６のシガーソケット、ヒューズボックス、またはバッテリーに直接接続されて駆動源としている。
【００１９】
制御部３１は、入力手段２からの入力信号を受信すると、記憶部３２に記憶されている作業カウンタ値を１つ増加させる。また、記憶部３２には、工事現場ごとに定められた作業回数が記憶されており、作業カウンタ値が当該作業回数に達するたびに、制御部３１は、作業カウンタ値をリセットし、ループ作業を実行するようになっている。さらに、制御部３１は、作業カウンタ値に応じた報知状態を実現するための制御信号を操作者用作業回数報知手段４および外部者用作業回数報知手段５に出力し、同期させる。
なお、記憶部３２に記憶される作業回数は、工事現場の環境や状況に流動的に対応するため任意に素早く変更することができる。
【００２０】
操作者用作業回数報知手段４は、操作者に対し作業回数を報知するためのものである。操作者用作業回数報知手段４は、ＬＥＤ（Light Emitting Diode）、ＬＣＤ（Liquid Crystal Display）、ランプ、または、電光掲示板等からなり、操作レバー付近等の操作者にとって見やすい場所に配置される。また、操作者用作業回数報知手段４は、作業回数演算手段３と有線または無線を介して接続されており、制御部３１からの制御信号に応じて、ランプやＬＥＤの点灯数を増加・リセットしたり、電光掲示板やＬＣＤに表示される数値を変更する。
【００２１】
外部者用作業回数報知手段５は、操作者以外の外部者に対し作業回数を報知するためのものである。外部者用作業回数報知手段５は、ランプ、電光掲示板、ＬＥＤまたはＬＣＤ等から構成されており、重機の車体の後部等の現場監督等の外部者にとって見やすい場所に配置される。また、外部者用作業回数報知手段５は、作業回数演算手段３と有線または無線を介して接続されており、制御部３１からの制御信号に応じて、ランプやＬＥＤの点灯数を増加・リセットしたり、電光掲示板やＬＣＤに表示される数値を変更する。
【００２２】
つぎに、本実施形態に係る重機用作業回数管理装置１を用いて重機の作業回数を報知する際の作用について説明する。  
【００２３】
まず、操作者は、所定の重機を操縦して砂の攪拌や道路の転圧等の作業を行う度に入力手段２を入力操作する。これにより、入力手段２が入力信号を発すると、作業回数演算手段３の制御部３１が当該入力信号を受信する。そして、作業回数演算手段３の制御部３１は、当該入力信号に基づいて、記憶部３２内の作業カウンタ値を増加またはリセットするとともに、操作者用作業回数報知手段４および外部者用作業回数報知手段５に作業が行われた回数を報知させるための制御信号を出力する。
【００２４】
さらに、外部者用作業回数報知手段５の具体的な態様について説明する。図２は、本実施形態の外部者用作業回数報知手段５がランプで構成された重機用作業回数管理装置１を備えた重機６を示す図であり、図３は点灯するランプの変更によって作業の回数を報知させる具体例を示す図である。
【００２５】
『ランプ』
予め定められた作業回数が４回の場合、図２に示すように、外部者用作業回数報知手段５として４つのランプ５ａ、５ｂ、５ｃ、５ｄが重機６の車体の後部に配置される。そして、点灯するランプの変更、または、ランプの点滅パターンの変更によって、作業の回数を報知する。
【００２６】
例えば、図３に示すように、以下に示すような点灯するランプを変更させて重機により所定の作業を行った回数を報知する。
・１回目の作業を行った後、入力手段２を１回操作する。これによりランプ５ａが点灯し、ランプ点灯数が１となる。
・２回目の作業を行った後、再び、入力手段２を１回操作する。これによりランプ５ａに加えてランプ５ｂが点灯し、ランプ点灯数が２となる。
・３回目の作業を行った後、再び入力手段２を１回操作する。これによりランプ５ａ、ランプ５ｂに加えてランプ５ｃが点灯し、ランプ点灯数が３となる。
・４回目作業を行った後、再び入力手段２を１回操作する。これにより、全てのランプ５ａ〜５ｄが点灯し、ランプ点灯数が４となる。
【００２７】
以上のように、操作者が重機によって所定の作業を行う度に、入力手段２を１回操作するだけで、ランプの点灯数が１つずつ増える。このため、外部者は、当該点灯数によって現在の作業回数を認識することができる。なお、図３に示すように、全てのランプが点灯した後は、再度、入力手段２を１回操作すると、記憶部３２内の作業カウンタ値がリセットされ、全てのランプが消灯する。その後、上述した作業をループする。
【００２８】
また、上記の例は、点灯するランプ数の変更により作業回数を報知する方法であるが、作業回数に応じたランプの点滅パターン（点滅速度、点滅回数等）を設定して、ランプの点滅パターンを変更させることにより、作業回数を報知するようにしてもよい。これにより、ランプの数以上の作業回数を報知することができる。
【００２９】
なお、本実施態様においては、ランプの数を４つとしたが、工事現場ごとに定められる作業回数に応じて、ランプの数は任意に変更することができる。また、ランプの大きさ、配置場所等も、重機の形態等の条件に応じて適宜変更することができる。
【００３０】
つぎに、図４は、本実施形態の外部者用作業回数報知手段５が電光掲示板５ｅである重機用作業回数管理装置１を備えた重機６を示す図である。
【００３１】
『電光掲示板』
図４に示すように、外部者用作業回数報知手段５として電光掲示板５ｅを重機６の車体の後部に配置し、電光掲示板５ｅに作業の回数を数字等で表示させて作業回数を報知する。
【００３２】
なお、本実施態様においては、電光掲示板５ｅの数を１つとしたが、電光掲示板５ｅの数は適宜変更することができ、電光掲示板５ｅの大きさ、配置場所等も、重機の形態等の条件に応じて適宜変更することができる。
【００３３】
上記において、外部者用作業回数報知手段５の具体的な態様について説明したが、操作者用作業回数報知手段４としてランプまたは電光掲示板を設け、操作者用作業回数報知手段４を外部者用作業回数報知手段５と連動させて、点灯するランプの変更、ランプの点滅パターンの変更、電光掲示板等により操作者に作業回数を報知させる。
【００３４】
以上のように、本考案によれば、重機の操作者および重機の外にいる外部者が、重機の作業の回数を確実に把握・管理することにより、土木工事の品質を安定させつつ効率的に工事を進めることができる。また、カウントする作業回数は自由に設定できるため、多種多様な工事に適用することができる。
【００３５】
なお、本考案に係る重機用作業回数管理装置１およびこれを備えた重機６は、前述した実施形態に限定されるものではなく、適宜変更することができる。例えば、本実施形態において、外部者用作業回数報知手段５として、ランプ、電光掲示板を用いたが、作業回数を報知しうるものであれば、それら以外の手段を用いてもよく、操作者用作業回数報知手段４についても、ランプ、電光掲示板以外の手段を用いてもよい。また、本実施形態において、作業回数演算手段３と操作者用作業回数報知手段４とを別に設けたが、作業回数演算手段３と操作者用作業回数報知手段４とを一体的に設けてもよい。さらに、作業回数演算手段３を重機の外に配置してもよい。
【符号の説明】
【００３６】
１  重機用作業回数管理装置
２  入力手段
３  作業回数演算手段
３１  制御部
３２  記憶部
４  操作者用作業回数報知手段
５  外部者用作業回数報知手段
５ａ  ランプ
５ｂ  ランプ
５ｃ  ランプ
５ｄ  ランプ
５ｅ  電光掲示板
６  重機
【図１】
0003175530.tif 000003
【図３】
0003175530.tif 000004
【図２】
0003175530.tif 000005
【図４】
0003175530.tif 000006